【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
時分割複信システムにおける使用者装置（ＵＥ）の動作方法において、
少なくとも一つの搬送波成分（ＣＣ）の個数と伝送方式に基づいて多重ダウンリンクの副フレームのためのＡＣＫのビットを決定する過程と、
前記ＡＣＫのビットに基づいて前記多重ダウンリンクの副フレームのためのフィードバック情報を生成する過程と、を含む方法。
【請求項２】
前記フィードバック情報を基地局に伝送する過程をさらに含む、請求項１に記載の方法。
【請求項３】
前記少なくとも一つの搬送波成分（ＣＣ）の個数と伝送方式に関する情報を基地局から受信する過程をさらに含む、請求項１に記載の方法。
【請求項４】
前記ＡＣＫのビットに基づいて前記多重ダウンリンクの副フレームのためのフィードバック情報を生成する過程は、
前記ＡＣＫのビットに基づいて少なくとも２つのフィードバック方式のうち一つのフィードバック方式を選択する過程と、
前記選択されたフィードバック方式に基づいて前記多重ダウンリンクの副フレームのためのフィードバック情報の生成処理を実行する過程と、を含む請求項１に記載の方法。
【請求項５】
前記少なくとも２つのフィードバック方式は、
バンドリングのフィードバック方式と、非バンドリングのフィードバック方式のうちの一つを含む請求項４に記載の方法。
【請求項６】
前記ＡＣＫのビットに基づいて少なくとも２つのフィードバック方式のうち一つのフィードバック方式を選択する過程は、
前記ＡＣＫのビットの数が予め定められた数以上の場合、前記バンドリングのフィードバック方式を選択する過程と、
前記ＡＣＫのビットの数が前記予め定められた数より小さい場合、前記非バンドリングのフィードバック方式を選択する過程と、を含む請求項５に記載の方法。
【請求項７】
前記予め定められた数は、20を含む請求項６に記載の方法。
【請求項８】
前記非バンドリングのフィードバック方式に基づいて前記多重ダウンリンクの副フレームのためのフィードバック情報の生成処理を実行する過程は、
それぞれの搬送波成分について前記多重ダウンリンクの副フレームのためのフィードバック情報のバンドリング処理を行わない過程と、
前記多重ダウンリンクの副フレームのためのフィードバック情報を生成する過程と、を含む請求項６に記載の方法。
【請求項９】
前記バンドリングのフィードバック方式に基づいて前記多重ダウンリンクの副フレームのためのフィードバック情報の生成処理を実行する過程は、
それぞれの搬送波成分について前記多重ダウンリンクの副フレームのためのフィードバック情報のバンドリング処理を実行する過程と、
前記多重ダウンリンクの副フレームのためのバンドリング処理を実行されたフィードバック情報を生成する過程と、を含む請求項６に記載の方法。
【請求項１０】
前記多重ダウンリンクの副フレームのためのフィードバック情報のバンドリング処理を実行する過程は、
それぞれの搬送波成分について各各の前記多重ダウンリンクの副フレーム内における多重コードワードに対するフィードバッグ情報の空間的なバンドリング処理を実行する過程を含む請求項９に記載の方法。
【請求項１１】
前記多重ダウンリンクの副フレームのためのフィードバック情報のバンドリング処理を実行する過程は、
それぞれの搬送波成分について前記多重ダウンリンクの副フレームのバンドリング処理を実行し、バンドリング処理を実行されたダウンリンクの副フレームに対するフィードバック情報のバンドリング処理を実行する過程を含む請求項９に記載の方法。
【請求項１２】
前記多重ダウンリンクの副フレームのためのフィードバック情報のバンドリング処理を実行する過程は、
それぞれの搬送波成分に対するフィードバック情報のバンドリング処理を実行する過程を含む請求項９に記載の方法。
【請求項１３】
前記多重ダウンリンクの副フレームの個数と、前記使用者装置のデータ受信のために基地局によって構成された前記少なくとも一つの搬送波成分の個数と、前記使用者装置のデータ受信のために前記基地局によって構成された伝送ブロック（ＴＢ）の個数と、前記使用者装置が受信した 全体の搬送波成分に含まれる符号ワードの全体の個数中の少なくとも一つに基づいて 前記少なくとも２つのフィードバック方式のうち一つのフィードバック方式を選択する過程をさらに含む、請求項４に記載の方法。
【請求項１４】
時分割複信システムにおける使用者装置（ＵＥ）の装置において、
少なくとも一つの搬送波成分（ＣＣ）の個数と伝送方式に基づいて多重ダウンリンクの副フレームのためのＡＣＫのビットを決定するとともに、ＡＣＫのビットに基づいて多重ダウンリンクの副フレームのためのフィードバック情報を生成ように構成されたＨＡＲＱ制御部と、
を含む装置。
【請求項１５】
前記フィードバック情報を基地局に伝送するように構成された送信部をさらに含む、請求項１４に記載の装置。
【請求項１６】
前記少なくとも一つの搬送波成分（ＣＣ）の個数と伝送方式に関する情報を基地局から受信するように構成された受信部をさらに含む、請求項１４に記載の装置。
【請求項１７】
前記ＨＡＲＱ制御部は、
前記ＡＣＫのビットに基づいて少なくとも２つのフィードバック方式のうち一つのフィードバック方式を選択し、
前記選択されたフィードバック方式に基づいて前記多重ダウンリンクの副フレームのためのフィードバック情報の生成処理を実行する請求項１４に記載の装置。
【請求項１８】
前記２つのフィードバック方式は、
バンドリングのフィードバック方式と、非バンドリングのフィードバック方式のうちの一つを含む請求項１７に記載の装置。
【請求項１９】
前記ＨＡＲＱ制御部は、
前記ＡＣＫのビットの数が予め定められた数以上の場合、前記バンドリングのフィードバック方式を選択し、
前記ＡＣＫのビットの数が前記予め定められた数より小さい場合、前記非バンドリングのフィードバック方式を選択する請求項１８に記載の装置。
【請求項２０】
前記予め定められた数は、20を含む請求項１９に記載の装置。
【請求項２１】
前記ＨＡＲＱ制御部は、
それぞれの搬送波成分について前記多重ダウンリンクの副フレームのためのフィードバック情報のバンドリング処理を行わないし、
前記多重ダウンリンクの副フレームのためのフィードバック情報を生成する請求項１９に記載の装置。
【請求項２２】
前記ＨＡＲＱ制御部は、
それぞれの搬送波成分について前記多重ダウンリンクの副フレームのためのフィードバック情報のバンドリング処理を実行し、
前記多重ダウンリンクの副フレームのためのバンドリング処理を実行されたフィードバック情報を生成する請求項１９に記載の装置。
【請求項２３】
前記ＨＡＲＱ制御部は、
それぞれの搬送波成分について各各の前記多重ダウンリンクの副フレーム内における多重コードワードに対する空間的なバンドリング処理を実行するフィードバック情報を処理する請求項２２に記載の装置。
【請求項２４】
前記ＨＡＲＱ制御部は、
それぞれの搬送波成分について前記多重ダウンリンクの副フレームなバンドリング処理を実行し、バンドリング処理を実行するダウンリンクの副フレームに対するフィードバック情報のバンドリング処理を実行する請求項２２に記載の装置。
【請求項２５】
前記ＨＡＲＱ制御部は、
それぞれの搬送波成分に対するフィードバック情報のバンドリング処理を実行する請求項２２に記載の装置。
【請求項２６】
前記ＨＡＲＱ制御部は、
前記多重ダウンリンクの副フレームの個数と、前記使用者装置のデータ受信のために基地局によって構成された前記少なくとも一つの搬送波成分の個数と、前記使用者装置のデータ受信のために前記基地局によって構成された伝送ブロック（ＴＢ）の個数と、前記使用者装置が受信した 全体の搬送波成分に含まれる符号ワードの全体の個数中の少なくとも一つに基づいて 前記少なくとも２つのフィードバック方式のうち一つのフィードバック方式を選択する請求項１７に記載の装置。